(57)【要約】【課題】エレベータの点検時に簡単な構成でかご位置を保持できる。【解決手段】エレベータ昇降路１内においてガイドレール２に沿って昇降自在なかご３を取付けたかご枠４と、エレベータ昇降路１の頂部に配設されたシーブ５を含む駆動装置６と、一端にかご枠４を取付け且つ他端につり合い重り７を取付けたシーブ５に掛け回された巻き上げロープ８とを備えたエレベータである。ガイドレール２の上部に着脱自在に連結金具９を取付けると共に連結金具９をかご枠４に着脱自在に固定する。【選択図】　　　　図１
2004059216.tif 000002
【特許請求の範囲】
【請求項１】
エレベータ昇降路内においてガイドレールに沿って昇降自在なかごを取付けたかご枠と、エレベータ昇降路の頂部に配設されたシーブを含む駆動装置と、一端にかご枠を取付け且つ他端につり合い重りを取付けたシーブに掛け回された巻き上げロープとを備えたエレベータであって、ガイドレールの上部に着脱自在に連結金具を取付けると共に連結金具をかご枠に着脱自在に固定して成ることを特徴とするエレベータの点検時のかご位置保持構造。
【請求項２】
Ｌ状をした連結金具の一片の中央部をガイドレールの後面に当接すると共に連結金具の一片の前面部の両側部に配置した一対の挟持片をガイドレールの前面両側に当接した状態で連結金具の一片と挟持片とを締結手段により締結してガイドレールの上部の上下方向の任意の位置を連結金具の一片と挟持片とで挟着し、連結金具の他片をかご枠に固定手段により着脱自在に固定して成ることを特徴とする請求項１記載のエレベータの点検時のかご位置保持構造。
【請求項３】
ガイドレールの上部に固定金具を設け、この固定金具の固定片に上下方向に長い縦長孔を設けると共に固定片とかご枠に設けた固定部とを面一とし、面一となっている固定金具の固定片とかご枠に設けた固定部とに連結金具の両側を当接し、縦長孔の任意の位置で固定片と連結金具とを固定手段により着脱自在に固定すると共に連結金具と固定部とを固定手段により着脱自在に固定して成ることを特徴とする請求項１記載のエレベータの点検時のかご位置保持構造。
【請求項４】
エレベータ昇降路内においてガイドレールに沿って昇降自在なかごを取付けたかご枠と、エレベータ昇降路の頂部に配設されたシーブを含む駆動装置と、一端にかご枠を取付け且つ他端につり合い重りを取付けたシーブに掛け回された巻き上げロープとを備えたエレベータであって、エレベータ昇降路の頂部に駆動装置を取付けるための取付け部材又はエレベータ昇降路の頂部の構造材にエレベータ昇降路内の上部に上昇しているかご枠をワイヤにより着脱自在に結合し、エレベータ昇降路の底部に設けられてつり合い重りが下降した際につり合い重りを受けるためのスタンドをエレベータ昇降路の底部に固定されたスタンド本体と、スタンド本体に抜き差し自在に取付けられる台座とに上下に２分割し、台座としてエレベータ使用時につり合い重りが最も下降した際につり合い重りを支持するためのスプリング付き台座と、駆動装置の点検時につり合い重りを支持するためのスプリング付き台座よりも上下長さが長い点検時用台座とを設け、上記かご枠を取付け部材又は構造部材にワイヤにより結合する際に、通常エレベータ使用時にスタンド本体に取付けていたスプリング付き台座に代えて点検時用台座をスタンド本体に取付けることを特徴とするエレベータの点検時のかご位置保持構造。
【発明の詳細な説明】
【０００１】
【発明の属する技術分野】
本発明は、シーブに巻回した巻き上げロープによりかごを取付けたかご枠を吊り下げて上下するトラクション式のエレベータにおいて、シーブを含む駆動装置の点検時にかごが上下方向に移動しないようにかご位置を保持するための技術に関するものである。
【０００２】
【従来の技術】
従来からエレベータ昇降路内においてガイドレールに沿って昇降自在なかごを取付けたかご枠と、エレベータ昇降路の頂部に配設されたシーブを含む駆動装置と、一端にかご枠を取付け且つ他端につり合い重りを取付けたシーブに掛け回された巻き上げロープとを備えたエレベータが知られている。
【０００３】
このようなトラクション式のエレベータにおいて、シーブを含む駆動装置の点検を行う場合、かごの上に作業者が乗って作業を行うが、かごを取付けているかご枠が下降して作業者が落下したり、上昇して作業者が天井との間に挟まれたりする危険が存在する。トラクション式のエレベータは、巻き上げロープとシーブの摩擦力で固定され、シーブは駆動装置のブレーキで固定されている。つまり、駆動装置に設けたモータの停止状態では、巻き上げロープとシーブの接触が緩んだ時、及び駆動装置のブレーキが外れた時にかごを取付けたかご枠やつり合い重りが移動する。言い換えると、駆動装置のブレーキが効いている時又は巻き上げロープとシーブとの接触が緩んでいる時にはモータが動いてもかごやつり合い重りは動かない。
【０００４】
したがって、従来においては、シーブを含む駆動装置の点検を行う場合、安全状態を確保するために、かご枠及びつり合い重りの両者をチェーンブロックなどで吊り、巻き上げロープとシーブのトラクションを無くす方法、あるいは、かご枠をチェーンブロックで吊り、つり合い重りが下がらないようにピットでつっかえ棒をする方法なでど、かごを取付けたかご枠及びつり合い重りが動かないようにし、この状態でかごの上に作業者が乗ってエレベータ昇降路の頂部に配設したシーブを含む駆動装置の点検を行っている。
【０００５】
かご枠及びつり合い重りの両者をチェーンブロックなどで吊り、巻き上げロープとシーブのトラクションを無くすようにした従来例においては、チェーンブロックが２台必要であり、また、かご枠はエレベータ昇降路の上部でチェーンブロックで吊る作業をするが、つり合い重りはエレベータ昇降路の下部において吊り下げるため、エレベータ昇降路内の下部においてつり合い重りをチェーンブロックで吊るための適当な高さの場所を確保してチェーンブロックで吊る作業をする必要があり、チェーンブロックで吊る作業がエレベータ昇降路の上部と下部という２箇所の離れた場所で行う必要があり、また、エレベータ昇降路の下部には重りを吊り下げるためのチェーンブロックを取付ける適当な部材が適当な高さに無い場合があり、エレベータ昇降路の下部においてチェーンブロックを取付けてつり合い重りを吊り下げる作業がし難いという問題があった。
【０００６】
かご枠をチェーンブロックで吊り、つり合い重りが下がらないようにピットでつっかえ棒をするものにおいては、エレベータ昇降路の下部のピットでのつっかえ棒でつり合い重りを支えることを確保するに当たっては、つっかえ棒を支えながらつり合い重りを下降させるため、連携のとれた２人作業が必要であるという問題があった。つまり、エレベータ昇降路の底部にはかごが上部に上昇した際につり合い重りが当ってつり合い重りを支持するためのスプリング付きスタンドが設けてあるが、エレベータ昇降路の頂部の駆動装置を点検する場合は、かごは通常の上部への上昇位置よりも少し下位置まで上昇させて停止した状態でかごの天井の上に作業者が乗って作業を行うものであり、このため、点検時にはつり合い重りがスプリング付きスタンドに当たる位置よりもやや上に位置することになる。したがって、上記のようにつっかえ棒でつり合い重りを支持する位置はスプリング付きスタンドの上端よりも上方となり、ピットでのつっかえ棒がつり合い重りを支えることを確実に確保するためには、つっかえ棒を支えながらつり合い重りを下降させるため、連携のとれた２人作業が必要となるものである。
【０００７】
これらの方法ではかごを取付けているかご枠及びつり合い重りは全く動くことはないが、そのために多くの準備作業が必要であり、作業が煩雑になり、また、煩雑な作業であるため、確実に作業が行われない場合が生じ、このような場合にはトラブルが生じるおそれもあった。
【０００８】
【発明が解決しようとする課題】
本発明は上記の点に鑑みてなされたものであり、エレベータの点検時に簡単な構成でかご位置を保持できるエレベータの点検時のかご位置保持構造を提供することを課題とするものである。
【０００９】
【課題を解決するための手段】
上記課題を解決するために本発明に係るエレベータの点検時のかご位置保持構造は、エレベータ昇降路１内においてガイドレール２に沿って昇降自在なかご３を取付けたかご枠４と、エレベータ昇降路１の頂部に配設されたシーブ５を含む駆動装置６と、一端にかご枠４を取付け且つ他端につり合い重り７を取付けたシーブ５に掛け回された巻き上げロープ８とを備えたエレベータであって、ガイドレール２の上部に着脱自在に連結金具９を取付けると共に連結金具９をかご枠４に着脱自在に固定して成ることを特徴とするものである。このような構成とすることで、エレベータ昇降路１の頂部に配設された駆動装置６の点検時に連結金具９によりガイドレール２の上部とかご枠４とを着脱自在に固定して、かご３を取付けたかご枠４が移動しないようにでき、かご３上に作業者が乗って安全にエレベータ昇降路１の頂部に配設された駆動装置６の点検ができることになる。この場合、エレベータ昇降路１の上部においてかご３上部分で連結金具９による連結作業をするのみでかご枠４が移動しないようにできて、作業が簡略化できるものである。
【００１０】
また、Ｌ状をした連結金具９の一片９ａの中央部をガイドレール２の後面に当接すると共に連結金具９の一片９ａの前面部の両側部に配置した一対の挟持片１０をガイドレール２の前面両側に当接した状態で連結金具９の一片９ａと挟持片１０とを締結手段１１により締結してガイドレール２の上部の上下方向の任意の位置を連結金具９の一片９ａと挟持片１０とで挟着し、連結金具９の他片９ｂをかご枠４に固定手段１２により着脱自在に固定することが好ましい。すなわち、点検時におけるかご３の位置は一義的に定まるものではないが、上記のような構成とすることで、連結金具９の一片９ａと挟持片１０とによるガイドレール２の挟持位置を上下方向において調整できて、ある程度の位置ずれを許容しながら強固に固定することができるものである。
【００１１】
また、ガイドレール２の上部に固定金具１３を設け、この固定金具１３の固定片１３ａに上下方向に長い縦長孔１３ｃを設けると共に固定片１３ａとかご枠４に設けた固定部４ａとを面一とし、面一となっている固定金具１３の固定片１３ａとかご枠４に設けた固定部４ａとに連結金具９の両側を当接し、縦長孔１３ｃの任意の位置で固定片１３ａと連結金具９とを固定手段１２により着脱自在に固定すると共に連結金具９と固定部４ａとを固定手段１２により着脱自在に固定することが好ましい。すなわち、点検時におけるかご３の位置は一義的に定まるものではないが、上記のように縦長孔１３ｃの任意の位置で固定片１３ａと連結金具９とを固定手段１２により着脱自在に固定することで、固定位置を上下方向において調整できて、ある程度の位置ずれを許容しながら強固に固定することができるものである。
【００１２】
また、エレベータ昇降路１内においてガイドレール２に沿って昇降自在なかご３を取付けたかご枠４と、エレベータ昇降路１の頂部に配設されたシーブ５を含む駆動装置６と、一端にかご枠４を取付け且つ他端につり合い重り７を取付けたシーブ５に掛け回された巻き上げロープ８とを備えたエレベータであって、エレベータ昇降路１の頂部に駆動装置６を取付けるための取付け部材１８又はエレベータ昇降路１の頂部の構造材にエレベータ昇降路１内の上部に上昇しているかご枠４をワイヤ１４により着脱自在に結合し、エレベータ昇降路１の底部に設けられてつり合い重り７が下降した際につり合い重り７を受けるためのスタンド１５をエレベータ昇降路１の底部に固定されたスタンド本体１６と、スタンド本体１６に抜き差し自在に取付けられる台座１７とに上下に２分割し、台座１７としてエレベータ使用時につり合い重り７が最も下降した際につり合い重り７を支持するためのスプリング付き台座１７ａと、駆動装置６の点検時につり合い重り７を支持するためのスプリング付き台座１７ａよりも上下長さが長い点検時用台座１７ｂとを設け、上記かご枠４を取付け部材１８又は構造部材にワイヤ１４により結合する際に、通常エレベータ使用時にスタンド本体１６に取付けていたスプリング付き台座１７ａに代えて点検時用台座１７ｂをスタンド本体１６に取付けることを特徴とするものであってもよい。このように、駆動装置６の点検に当たっては、かご枠４を取付け部材１８又は構造部材にワイヤ１４により結合すると共に通常エレベータ使用時にスタンド本体１６に取付けていたスプリング付き台座１７ａに代えて点検時用台座１７ｂをスタンド本体１６に取付けることで、かご枠４、つり合い重り７が移動するのを防止できて、かご３の天井２８の上に乗って駆動装置６を点検する作業が安全に行えるものである。
【００１３】
【発明の実施の形態】
以下、本発明を添付図面に示す実施形態に基づいて説明する。
【００１４】
建物内には図１乃至図３に示すように上下階にわたって連続するエレベータ昇降路１が形成してある。本発明においてはこのエレベータ昇降路１内の頂部にシーブ５を含む駆動装置６を取付けた取付け部材１８が配設してあり、この取付け部材１８はエレベータ昇降路１の頂部の構造部材（建物の構造部材又はエレベータ用鉄塔の構造部材）に取付けてある。シーブ５は駆動装置６に設けたモータを駆動することで正回転、逆回転するようになっている。
【００１５】
エレベータ昇降路１内には一対のガイドレール２が立設してあり、このガイドレール２に沿ってかご３を取付けたかご枠４が上下方向に昇降自在に配置してある。上記ガイドレール２は下端部がエレベータ昇降路１の底部に固着され、上端部が取付け部材１８に取付けてある。
【００１６】
また、エレベータ昇降路１内には更に一対の重り用ガイドレール２６が立設してあり、この重り用ガイドレール２６は下端部がエレベータ昇降路１の底部に固着され、上端部が取付け部材１８に取付けてある。
【００１７】
かご枠４は下横枠部２１と縦枠部２２とよりなるＬ状をしており、下横枠部２１にかご３が載設して取付けてある。かご枠４の縦枠部２２の両側の上部と下部にはそれぞれスライド用ガイド部材２３が設けてあり、このスライド用ガイド部材２３が一対の縦枠部２２の両側の上部と下部とに設けたスライド用ガイド部材２３が断面Ｔ字状をしたガイドレール２のレール突片２ａに上下方向にスライド自在に嵌め込んである。
【００１８】
一対の重り用ガイドレール２６にはつり合い重り７の両側に設けたスライド用ガイド部材２７が上下方向にスライド自在にはめ込んである。
【００１９】
前述のようにエレベータ昇降路１内の上部に配設された取付け部材１８に取付けた駆動装置６のシーブ５にはワイヤーよりなる巻き上げロープ８が掛回してあり、この巻き上げロープ８の一端部がかご枠４に固着され、また、巻き上げロープ８の他端部がつり合い重り７に固着してある。
【００２０】
しかして、駆動装置６のモータを回転することで、シーブ５を回転し、シーブ５に巻回した巻き上げロープ８を移動し、これによりかご３を取付けたかご枠４を昇降するようになっている。
【００２１】
上記のような構成のエレベータにおいて、本発明においては、エレベータの点検時にガイドレール２の上部に着脱自在に連結金具９を取付けると共に連結金具９をかご枠４に着脱自在に固定する構造となっている。
【００２２】
すなわち、図４、図５に示す実施形態においては連結金具９はＬ状をしており、このＬ状をした連結金具９の一片９ａの前面部（一片９ａの他片９ｂが突出した方の面を前面とする）の両側部に一対の略Ｚ状をした挟持片１０を対向配置し、この挟持片１０を締結手段１１を構成するボルト１１ａ、ナット１１ｂにより連結金具９の一片９ａに取付けてある。
【００２３】
また、かご枠４の縦枠部２２の上部は図６に示すようにボルト挿通孔を有する固定部４ａとなっている。
【００２４】
そして、エレベータのシーブ５を含む駆動装置６の点検を行う場合は、駆動装置６を駆動してかご３を取付けたかご枠４をエレベータ昇降路１の上部に移動させて駆動装置６を停止し、このようにかご枠４をエレベータ昇降路１の上部に移動させて停止した状態でかご３の上に作業者が乗り、上記連結金具９の他片９ｂをかご枠４の縦枠部２２の上部の固定部４ａに当接し、連結金具９の他片９ｂに設けた孔と固定部４ａに設けたボルト挿通孔とを連通させてボルト１２ａを挿通してナット１２ｂにより固定する（上記ボルト１２ａ、ナット１２ｂにより固定手段１２を構成している）。また、Ｌ状をした連結金具９の一片９ａの中央部をガイドレール２の後面に当接すると共に連結金具９の一片９ａの前面部の両側部に配置した一対の挟持片１０をガイドレール２の前面両側に当接した状態で連結金具９の一片９ａと挟持片１０とをボルト１１ａ、ナット１１ｂよりなる締結手段１１により締結してガイドレール２の上部の上下方向の任意の位置を連結金具９の一片９ａと挟持片１０とで挟着する。これにより、連結金具９によりガイドレール２の上部に対して上下方向に固定位置調整自在にかご枠４を着脱自在に固定できるものである。ここで、点検時におけるかご３の位置は一義的に定まるものではないが、連結金具９の一片９ａと挟持片１０とによるガイドレール２の挟持位置を上下方向において調整することで、かご枠４のある程度の位置ずれを許容しながら強固に固定することができるものである。
【００２５】
駆動装置６の点検の際に上記のように、連結金具９によりガイドレール２の上部に対して上下方向に固定位置調整自在にかご枠４を着脱自在に固定する作業はかご３の天井２８の上に乗って作業するものであり、したがって、縦枠部２２の上部に設けたボルト挿通孔を有する固定部４ａは図４、図６に示すようにかご３の天井２８よりも上に位置している。
【００２６】
このように連結金具９によりガイドレール２の上部に対して上下方向に固定位置調整自在にかご枠４を着脱自在に固定してかご枠４が移動しないようにした状態で、かご３の天井２８の上に乗ってシーブ５を含む駆動装置６の点検を行うものである。
【００２７】
駆動装置６の点検が終わると、連結金具９を外して、かご枠４とガイドレール２との固定を解除し、かご枠４が昇降できるようにして通常のエレベータの使用を行うものである。
【００２８】
図７、図８には本発明の他の実施形態が示してある。本実施形態においては、図９に示すようにガイドレール２の上部にＬ状をした固定金具１３があらかじめ固定してある。このＬ状をした固定金具１３は一片が固定片１３ａとなり、他片がガイドレール取着片１３ｂとなり、ガイドレール取着片１３ｂをガイドレール２にあらかじめ固定してあり、この固定金具１３のガイドレール２への固定状態において、固定金具１３の固定片１３ａとかご枠４に設けた固定部４ａとが面一となるように設定してある（つまり、固定片１３ａの表面と固定部４ａの表面が同一垂直面上に位置している）。固定金具１３の固定片１３ａには上下方向に長い縦長孔１３ｃを設けてある。
【００２９】
また、本実施形態においては連結金具９は平板状をしており、両端部に孔が設けてある。また、かご枠４の縦枠部２２の上部の固定部４ａには図９に示すようにボルト挿通孔が設けてある。
【００３０】
そして、エレベータのシーブを含む駆動装置６の点検を行う場合は、駆動装置６を駆動してかご３を取付けたかご枠４をエレベータ昇降路１の上部に移動させて駆動装置６を停止し、このようにかご枠４をエレベータ昇降路１の上部に移動させて停止した状態でかご３の天井２８の上に作業者が乗り、面一となっている固定金具１３の固定片１３ａとかご枠４に設けた固定部４ａとに上記平板状をした連結金具９の両側を当接し、連結金具９の一端部の孔と固定部４ａのボルト挿通孔とを連通させ、固定手段１２を構成するボルト１２ａを挿通してナット１２ｂにより着脱自在に固定し、更に、連結金具９の他端部の孔と固定片１３ａの縦長孔１３ｃとを連通させ、固定手段１２を構成するボルト１２ａを挿通してナット１２ｂにより着脱自在に固定する。このようにして、連結金具９によりガイドレール２の上部に対して上下方向に固定位置調整自在にかご枠４を着脱自在に固定できるものである。ここで、点検時におけるかご３の位置は一義的に定まるものではないが、上記のように縦長孔１３ｃの上下方向の任意の位置でボルト１２ａ、ナット１２ｂで着脱自在に固定できるので、固定位置を上下方向において調整することで、かご枠４のある程度の位置ずれを許容しながら強固に固定することができるものである。
【００３１】
駆動装置６の点検の際に上記のように、連結金具９によりガイドレール２の上部に対して上下方向に固定位置調整自在にかご枠４を着脱自在に固定する作業はかご３の天井２８の上に乗って作業するものであり、したがって、縦枠部２２の上部に設けたボルト挿通孔を有する固定部４ａは図８に示すようにかご３の天井２８よりも上に位置しており、また、固定金具１３に設けた縦長孔１３ｃは点検時におけるかご３の上昇予定位置におけるかご３の天井２８よりも上に位置するように設定してある。
【００３２】
このように連結金具９によりガイドレール２の上部に対して上下方向に固定位置調整自在にかご枠４を着脱自在に固定してかご枠４が移動しないようにした状態で、かご３の天井２８の上に乗ってシーブ５を含む駆動装置６の点検を行うものである。
【００３３】
駆動装置６の点検が終わると、連結金具９を外して、かご枠４とガイドレール２との固定を解除し、かご枠４が昇降できるようにして通常のエレベータの使用を行うものである。
【００３４】
次に、図１０、図１１に基づいて本発明の更に他の実施形態につき説明する。エレベータ昇降路１の底部にはつり合い重り７が下降した際につり合い重り７を受けるためのスタンド１５が設けてあるが、本実施形態においては、スタンド１５をエレベータ昇降路１の底部に固定されたスタンド本体１６と、スタンド本体１６に抜き差し自在に取付けられる台座１７とに上下に２分割してあり、更に、台座１７としてつり合い重り７が乗った際の衝撃を吸収するためのスプリング付き台座１７ａと、点検時用台座１７ｂとを設け、通常のエレベータ使用時には台座１７としてつり合い重り７が乗った際の衝撃を吸収するためのスプリング付き台座１７ａを使用し、駆動装置６を点検する際には点検時用台座１７ｂを使用するようになっている。
【００３５】
スタンド本体１６はエレベータ昇降路１の底部に載設して固着するためのベース板１６ａ上面に筒体よりなる嵌合部１６ｂが一体に立設してある。
【００３６】
スプリング付き台座１７ａはパイプ又は棒状の被嵌合部１７ｃの上部に受け部１７ｄを設け、更に受け部１７ｄの上面部にスプリング１７ｅが設けてあり、パイプ又は棒状の被嵌合部１７ｃが筒体よりなる嵌合部１６ｂに抜き差し自在に嵌め込まれるものである。また、点検時用台座１７ｂはパイプ又は棒状の被嵌合部１７ｃの上部に受け部１７ｄを設けたもので、点検時に上記スプリング付き台座１７ａに代えて点検時用台座１７ｂの棒状の被嵌合部１７ｃを筒体よりなる嵌合部１６ｂに抜き差し自在に嵌め込まれるものである。なお、添付図面に示す実施形態では点検時用台座１７ｂの受け部１７ｄが平板状をしているが、被嵌合部１７ｃを構成するパイプ又は棒状の上端部自体が受け部１７ｄとなっていてもよい。また、点検時用台座１７ｂはスプリング付き台座１７ａよりも上下長さが長くなっており、点検時用台座１７ｂをスタンド本体１６にはめ込んだ状態におけるスタンド１５の上下長さはスプリング付き台座１７ａをスタンド本体１６にはめ込んだ状態における上下長さよりも長くなっている。
【００３７】
そして、エレベータのシーブ５を含む駆動装置６の点検を行う場合は、通常エレベータ使用時にスタンド本体１６に取付けていたスプリング付き台座１７ａに代えて点検時用台座１７ｂをスタンド本体１６に取付け、駆動装置６を駆動してかご３を取付けたかご枠４をエレベータ昇降路１の上部に移動させると共につり合い重り７を下降させて、つり合い重り７がスタンド本体１６に取付けた点検時用台座１７ｂの受け部１７ｄに当たって支持される状態で駆動装置６を停止し、このようにかご枠４をエレベータ昇降路１の上部に移動させて停止した状態でかご３の天井２８の上に作業者が乗り、エレベータ昇降路１の頂部に駆動装置６を取付けるための取付け部材１８又はエレベータ昇降路１の頂部の構造材にエレベータ昇降路１内の上部に上昇しているかご枠４をワイヤ１４により着脱自在に結合するものである。これによりかご枠４、つり合い重り７が移動しないように保持できるものである。
【００３８】
このようにかご枠４、つり合い重り７が移動しないように保持した状態で、かご３の天井２８の上に乗ってシーブ５を含む駆動装置６の点検を行うものである。
【００３９】
駆動装置６の点検が終わると、ワイヤ１４による取付けを解除し、また、点検時用台座１７ｂを外してスタンド本体１６にスプリング付き台座１７ａを取付け、かご枠４が昇降できるようにして通常のエレベータの使用を行うものである。
【００４０】
【発明の効果】
上記のように本発明の請求項１記載の発明にあっては、ガイドレールの上部に着脱自在に連結金具を取付けると共に連結金具をかご枠に着脱自在に固定するので、エレベータ昇降路の頂部に配設された駆動装置の点検時に連結金具によりガイドレールの上部とかご枠とを着脱自在に固定することで、かごを取付けたかご枠が移動しないようにできて、かご上に作業者が乗って安全にエレベータ昇降路の頂部に配設された駆動装置の点検ができ、エレベータ昇降路の上部においてかご上部分で連結金具による連結作業をするのみでかご枠が移動しないようにできて、作業が簡略化できるものである。
【００４１】
また、請求項２記載の発明にあっては、上記請求項１記載の発明の効果に加えて、Ｌ状をした連結金具の一片の中央部をガイドレールの後面に当接すると共に連結金具の一片の前面部の両側部に配置した一対の挟持片をガイドレールの前面両側に当接した状態で連結金具の一片と挟持片とを締結手段により締結してガイドレールの上部の上下方向の任意の位置を連結金具の一片と挟持片とで挟着し、連結金具の他片をかご枠に固定手段により着脱自在に固定してあるので、点検時におけるかごの位置は一義的に定まるものではないが、上記のような構成とすることで、連結金具の一片と挟持片とによるガイドレールの挟持位置を上下方向において調整できて、ある程度の位置ずれを許容しながら強固に固定することができるものである。
【００４２】
また、請求項３記載の発明にあっては、上記請求項１記載の発明の効果に加えて、ガイドレールの上部に固定金具を設け、この固定金具の固定片に上下方向に長い縦長孔を設けると共に固定片とかご枠に設けた固定部とを面一とし、面一となっている固定金具の固定片とかご枠に設けた固定部とに連結金具の両側を当接し、縦長孔の任意の位置で固定片と連結金具とを固定手段により着脱自在に固定すると共に連結金具と固定部とを固定手段により着脱自在に固定してあるので、点検時におけるかごの位置は一義的に定まるものではないが、上記のように縦長孔の任意の位置で固定片と連結金具とを固定手段により着脱自在に固定することで、固定位置を上下方向において調整できて、ある程度の位置ずれを許容しながら強固に固定することができるものである。
【００４３】
また、請求項４記載の発明にあっては、エレベータ昇降路の頂部に駆動装置を取付けるための取付け部材又はエレベータ昇降路の頂部の構造材にエレベータ昇降路内の上部に上昇しているかご枠をワイヤにより着脱自在に結合し、エレベータ昇降路の底部に設けられてつり合い重りが下降した際につり合い重りを受けるためのスタンドをエレベータ昇降路の底部に固定されたスタンド本体と、スタンド本体に抜き差し自在に取付けられる台座とに上下に２分割し、台座としてエレベータ使用時につり合い重りが最も下降した際につり合い重りを支持するためのスプリング付き台座と、駆動装置の点検時につり合い重りを支持するためのスプリング付き台座よりも上下長さが長い点検時用台座とを設け、上記かご枠を取付け部材又は構造部材にワイヤにより結合する際に、通常エレベータ使用時にスタンド本体に取付けていたスプリング付き台座に代えて点検時用台座をスタンド本体に取付けるので、駆動装置の点検に当たっては、かご枠を取付け部材又は構造部材にワイヤにより結合すると共に通常エレベータ使用時にスタンド本体に取付けていたスプリング付き台座に代えて点検時用台座をスタンド本体に取付けることで、かご枠、つり合い重りが移動するのを防止できて、かごの天井の上に乗って駆動装置を点検する作業が安全に行えるものである。
【図面の簡単な説明】
【図１】本発明に用いるエレベータの正面図である。
【図２】同上の側面図である。
【図３】同上の平面図である。
【図４】本発明のエレベータの点検時のかご位置保持構造の一例を示す斜視図である。
【図５】同上の平面図である。
【図６】同上の連結金具を取付けていない通常のエレベータ使用状態を示す斜視図である。
【図７】本発明のエレベータの点検時のかご位置保持構造の他例を示す斜視図である。
【図８】同上の平面図である。
【図９】同上の連結金具を取付けていない通常のエレベータ使用状態を示す斜視図である。
【図１０】本発明のエレベータの点検時のかご位置保持構造の更に他例を示す斜視図である。
【図１１】同上のつり合い重りを受けるためのスタンドを示し、（ａ）はスプリング付き台座を使用した例を示す斜視図であり、（ｂ）は点検時用台座を使用した例を示す斜視図である。
【符号の説明】
１　エレベータ昇降路
２　ガイドレール
３　かご
４　かご枠
４ａ　固定部
５　シーブ
６　駆動装置
７　つり合い重り
８　巻き上げロープ
９　連結金具
９ａ　一片
９ｂ　他片
１０　挟持片
１１　締結手段
１２　固定手段
１３　固定金具
１３ａ　固定片
１３ｃ　縦長孔
１４　ワイヤ
１５　スタンド
１６　スタンド本体
１７　台座
１７ａ　スプリング付き台座
１７ｂ　点検時用台座
１８　取付け部材
【図１】
2004059216.tif 000003
【図２】
2004059216.tif 000004
【図３】
2004059216.tif 000005
【図４】
2004059216.tif 000006
【図５】
2004059216.tif 000007
【図６】
2004059216.tif 000008
【図７】
2004059216.tif 000009
【図８】
2004059216.tif 000010
【図９】
2004059216.tif 000011
【図１０】
2004059216.tif 000012
【図１１】
2004059216.tif 000013